(57)【要約】 【課題】  本発明は、圧接折丁群の極めて整然たる送り作動が奏されるような改良を施した「紙折り機に連結した折丁結束装置」の提供を図ったものである。【解決手段】  紙折り機によって所要の折丁が成された折丁ｐを受け入れるための折丁受入部Ｈを、折丁群移動用テーブルＪの始端部がわに設け、当該折丁受入部Ｈと前記した移動用制御ベルト7,7の間に始端側移動用補助ベルト6,６を介在させ、当該始端側移動用補助ベルト6,６と移動用制御ベルト7,7の回動速度を、紙折り機による折丁の供給速度と等しく設定し、当該移動用制御ベルト7,7の前記急速前進は始端側移動用補助ベルト6,６とは別駆動に基づき回動させ、更に、折丁群移動用テーブルＪの始端側から終端側に案内用スリット１を開設すると共に、折丁群の先端を受止めるための受板具２を、当該スリット１に対して摺動自在に取付けると共に、当該受板具２には復元用スプリング４を連結した紙折り機に連結した折丁結束装置。【選択図】  図２
2008162602.tif 000002
【特許請求の範囲】
【請求項１】
折丁群移動用テーブル(Ｊ)に移動用制御ベルト(7,7)を回動自在に設け、当該制御ベルト(7,7)を駆動させてベルト上の圧接縦列折丁群(Ｐ)の急速前進を図り、該折丁群(Ｐ)の後方部分に粗列部(Ｐ1)を出現させた状態で電動押し杆機構(Ｍ)で結束用テーブル(Ｋ)側に折丁群の移行を行わせるように構成した紙折り機に連結した折丁結束装置において、
紙折り機によって所要の折丁が成された折丁(ｐ)を受け入れるための折丁受入部(Ｈ)を、折丁群移動用テーブル(Ｊ)の始端部がわに設け、当該折丁受入部(Ｈ)と前記した移動用制御ベルト(7,7)の間に始端側移動用補助ベルト(6,６)を介在させ、
当該始端側移動用補助ベルト(6,６)と移動用制御ベルト(7,7)の回動速度を、紙折り機による折丁の供給速度と等しく設定し、当該移動用制御ベルト(7,7)の前記急速前進は始端側移動用補助ベルト(6,６)とは別駆動に基づき回動させ、
更に、折丁群移動用テーブル(Ｊ)の始端側から終端側に案内用スリット(１)を開設すると共に、折丁群の先端を受止めるための受板具(２)を、当該スリット(１)に対して摺動自在に取付けると共に、当該受板具(２)には復元用スプリング(４)を連結した紙折り機に連結した折丁結束装置。
【請求項２】
折丁受入部(Ｈ)における折丁ガイド用縦枠(ｈ)のやや前方に、高さ調節可能とする折丁上端抑え用スプリング(ｇ1)を備えた折丁上端揃え用ガイド(Ｇ)を設け、当該折丁上端抑え用スプリング(ｇ1)の接触に基づき、次々と送られてくる折丁群(Ｐ)の上端縁が揃えられるように構成した請求項１に記載の紙折り機に連結した折丁結束装置。
【請求項３】
電動押し杆機構(Ｍ)における押し枠(ｍ)の後端側に折丁支え片(ｍ3)を設け、当該押し枠(ｍ)の突出と共に、折丁支え片(ｍ2)も前方に前進し、当該折丁支え片(ｍ3)が後続の折丁群の中に差し込まれてその倒伏を防ぐように構成した請求項１または請求項２に記載の紙折り機に連結した折丁結束装置。
【発明の詳細な説明】
【技術分野】
【０００１】
本発明は紙折り機によって折丁されかつ縦方向並べられて折丁群を結束するために、これを所定数量ごとに取り出すことが出来るようにした「紙折り機に連結した折丁結束装置」に関する。
【背景技術】
【０００２】
従来、上記のような目的を達成するための「紙折り機に連結した折丁結束装置」としては、「折丁結束テーブルの折丁群受板具の移動路の両端部に該テーブル面を跨ぐ駆動ベルト機構を並列装備せしめ、受板具の終点手前箇所に受板具検出で該ベルト機構を駆動させるスイッチ又は光電管等の検出器を設け、その検出器作動で終点手前から終点までをベルト駆動させてベルト上の圧接縦列折丁群の急速前進を図り、該折丁群の後方部分に粗列部を出現させた状態において電動押杆で結束圧縮機構部に対して折丁群の移行を行わせることを特徴とする紙折り機に連結した折丁結束装置」がある。（例えば特許文献1参照）
【０００３】
これは、紙折り機によって縦揃え状態で押出されてくる折丁群を定量ごとに、その押出し方向とは直角の方向（側面方向）に電動押杆を介して取り出し、然る後、これの一括的結束を行うに際して、電動杆を介しての上記したような取出しが、極めて安定した状態で行われるように構成したものである。
【０００４】
すなわち、紙折り機によって縦揃え状態で押出されてくる折丁群は、これを定量ごとに、押出し方向とは直角の方向（側面方向）に単純に取り出した場合、縦揃え折丁機構における折丁群の増加整列状態は、折丁の半開きを防止して圧接状態として整列しているため、その折丁群を側面から電動押杆による押出しを図った場合、その押し枠の長さが常に受板と縦列を規制する定規部との間隔に対応している場合ならば良いが、折丁結束量の変更等で異長の押し枠を交換使用するような場合、両側規制をはなれた圧接折丁群に対して押出し作用が行われると、図１０に示すように、押出し残余の圧接折丁群に対して摩擦抵抗が大きく、従って、摩擦ズレ状態Ｐ2が生じ易く、整列状態が著しく崩れて次の正常な折丁整列が行われず、更に、押し枠の後退の際に該押し枠の側縁が不整列紙に衝当して余計に乱列状が起こり易く、次の押出し結束作業に円滑性齟齬をきたしてしまうこととなる。
【０００５】
前述した特許文献1に記載された従来例は、このような問題の解消化を図るように構成したものであり、図９に示すように、紙折り機Ａ側から縦揃え状態で押出されてくる折丁群Ｐを、始動個所に静止している受板具Ｂに対して増加に伴い当接し、受板具Ｂが押されると、受板具Ｂはスライドバックすることとなり、そして、当該受板具Ｂが図９に鎖線示す状態に位置（終点）した際、ベルトＣ          に対する駆動力が働き、当該受板具Ｂを実線で示す位置に急速に移動させるという作動を生じさせ、これにより、圧接折丁群Ｐの後部に粗列部Ｐ1を生じさせる。  このような粗列部Ｐ1の出現は    押し枠Ｄによる結束のための定量押出し時に、圧接折丁群Ｐの後部に、図１０に示すような摩擦ズレＰ2を生じさせること無く、常時整然とした折丁整列が計られるように構成したものである。  そして、受板具Ｂの復元は、前記したベルトＣを逆回転させることによって行わせるように構成してある。    
【特許文献１】特公昭５５−２６０５３号
【発明の開示】
【発明が解決しようとする課題】
【０００６】
上述したような特公昭５５−２６０５３号に記載された「紙折り機に連結した折丁結束装置」であると、受板具Ｂの急速移動に基づき生じさせた粗列部Ｐ1の存在が、これに続く新たな圧接折丁群の押し寄せが間に合わず、当該粗列部Ｐ1を整然たる圧接状態に戻すことができにないような事態が生じがちであつた。  更に、上記受板具Ｂの急速前進後の元位置への復帰をベルトＣの逆回転に依存して行わせるように構成してあるため、その復帰の迅速性という点で問題が生じ、圧接折丁群の乱列化（縦揃え状態の乱れ）が生じ易いと言う様な事態を招きがちであつた。
【０００７】
本発明はこのような従来の問題を解決し、圧接折丁群の極めて整然たる送り作動が奏されるような改良を施した「紙折り機に連結した折丁結束装置」の提供を図ったものである。
【課題を解決するための手段】
【０００８】
本発明は、折丁群移動用テーブルＪに移動用制御ベルト7,7を回動自在に設け、当該制御ベルト7,7を駆動させてベルト上の圧接縦列折丁群Ｐの急速前進を図り、該折丁群Ｐの後方部分に粗列部Ｐ1を出現させた状態で電動押し杆機構Ｍで結束用テーブルＫ側に折丁群の移行を行わせるように構成した紙折り機に連結した折丁結束装置において、紙折り機によって所要の折丁が成された折丁ｐを受け入れるための折丁受入部Ｈを、折丁群移動用テーブルＪの始端部がわに設け、当該折丁受入部Ｈと前記した移動用制御ベルト7,7の間に始端側移動用補助ベルト6,６を介在させ、当該始端側移動用補助ベルト6,６と移動用制御ベルト7,7の回動速度を、紙折り機による折丁の供給速度と等しく設定し、当該移動用制御ベルト7,7の前記急速前進は始端側移動用補助ベルト6,６とは別駆動に基づき回動させ、更に、折丁群移動用テーブルＪの始端側から終端側に案内用スリット１を開設すると共に、折丁群の先端を受止めるための受板具２を、当該スリット１に対して摺動自在に取付けると共に、当該受板具２には復元用スプリング４を取付けたことを特徴とする紙折り機に連結した折丁結束装置に係るものである。
【０００９】
そして本発明は、折丁受入部Ｈにおける折丁ガイド用縦枠ｈのやや前方に、高さ調節可能とする折丁上端抑え用スプリングｇ1を備えた折丁上端揃え用ガイドＧを設け、当該折丁上端抑え用スプリングｇ1の接触に基づき、次々と送られてくる折丁群Ｐの上端縁が揃えられるように構成した請求項１に記載した紙折り機に連結した折丁結束装置を第２の実施の態様とするものである。
【００１０】
更に本発明は、電動押し杆機構Ｍにおける押し枠ｍの後端側に折丁支え片ｍ3を設け、当該押し枠ｍの突出と共に、折丁支え片ｍ2も前方に前進し、当該折丁支え片ｍ3が後続の折丁群の中に差し込まれてその倒伏を防ぐように構成した請求項１または請求項２に記載の紙折り機に連結した折丁結束装置を第３の実施の態様とするものである。
【発明の効果】
【００１１】
本発明は、請求項１に記載のような構成、すなわち、折丁群移動用テーブルＪに移動用制御ベルト7,7を回動自在に設け、当該制御ベルト7,7を駆動させてベルト上の圧接縦列折丁群Ｐの急速前進を図り、該折丁群Ｐの後方部分に粗列部Ｐ1を出現させた状態で電動押し杆機構Ｍで結束用テーブルＫ側に折丁群の移行を行わせるように構成した紙折り機に連結した折丁結束装置において、紙折り機によって所要の折丁が成された折丁ｐを受け入れるための折丁受入部Ｈを、折丁群移動用テーブルＪの始端部がわに設け、当該折丁受入部Ｈと前記した移動用制御ベルト7,7の間に始端側移動用補助ベルト6,６を介在させ、当該始端側移動用補助ベルト6,６と移動用制御ベルト7,7の回動速度を、紙折り機による折丁の供給速度と等しく設定し、当該移動用制御ベルト7,7の前記急速前進は始端側移動用補助ベルト6,６とは別駆動に基づき回動させ、更に、折丁群移動用テーブルＪの始端側から終端側に案内用スリット１を開設すると共に、折丁群の先端を受止めるための受板具２を、当該スリット１に対して摺動自在に取付けると共に、当該受板具２には復元用スプリング４を取付けるように構成したから、折丁群Ｐの極めて整然たる送り作動が奏されるような改良を施した「紙折り機に連結した折丁結束装置」の提供が図られる。
【００１２】
すなわち、折丁受入部Ｈと移動用制御ベルト7,7の間に始端側移動用補助ベルト6,６を介在させるように構成したから、折丁群Ｐの連続性が常に保たれ、これの整然たる送り作動が果される。  何故ならば、当該始端側移動用補助ベルト６，６が存在しない場合は、粗列部Ｐ1発生に基づくその後の折丁群Ｐの圧接接触性の不均一化に基づく形成列の崩れ発生と言うような問題が間々生じたが、本発明にあっては当該始端側移動用補助ベルト６，６を設けることにより、このよう事態発生を皆無とされるわけである。
【００１３】
更に、折丁群移動用テーブルＪの始端側から終端側に案内用スリット１を開設すると共に、折丁群の先端を受止めるための受板具２を、当該スリット１に対して摺動自在に取付けると共に、当該受板具２には復元用スプリング４を取付けるように構成したから、その作動は極めて円滑なものとされる。  すなわち、従来のように当該受板具２を移動用制御ベルト側に取付けるように構成した場合は、当該受板具２を復元させるには、移動用制御ベルトを逆回動させなければならず、そのため当該復元運動に時間がとられて折丁群の整列に乱れを生じさせたり、移動用制御ベルトの逆回転のための別個の回転機構を設けなければならなかったりしたが、本発明にあってはこのような問題は全く解消される。
【００１４】
本発明は請求項２に記載のような構成、すなわち、折丁受入部Ｈにおける折丁ガイド用縦枠ｈのやや前方に、高さ調節可能とする折丁上端抑え用スプリングｇ1を備えた折丁上端揃え用ガイドＧを設け、当該丁上端抑え用スプリングｇ1の接触に基づき、次々と送られてくる折丁群Ｐの上端縁が揃えられるように構成したから、当該折丁群Ｐの上端縁の不揃い性からもたらされる結束の阻害性、乱雑性というような問題の発生を未然に防止することとなる。
【００１５】
本発明は請求項３に記載のような構成、すなわち、電動押し杆機構Ｍにおける押し枠ｍの後端側に折丁支え片ｍ3を設け、当該押し枠ｍの突出と共に、折丁支え片ｍ3も前方に前進し、当該折丁支え片ｍ3が後続の折丁群の中に差し込まれてその倒伏を防ぐように構成したから、結束作業中に待機状態にある後続折丁群が傾倒してしまうことを未然に防止し、極めて整然たる折丁群の保持が果される。
【発明を実施するための最良の形態】
【００１６】
本発明は、紙折り機によって折丁された縦方向並べられて折丁群を、結束するために所定数量ごとに取り出すようにした「紙折り機に連結した折丁結束装置」に関するものであって、紙折り機及び結束機の各機体自体の構成は、本発明の技術的要部とするものではない。  すなわち、本発明は紙折り機で折丁されかつ縦方向で並べられて順次押し出されてくる折丁群を、所定の数量ごとに取り出すと共に、別に設けられている結束機に対して供給するため機構部分に、技術的特徴を有するものである。  
【００１７】
以下、本発明の構成を図面について詳細に説明する。  なお、図１にあっては、後記する「折丁上縁部揃え用ガイドＧ」部分の構成を、他の機構部分を分かり易く表示するために作図上省略してある。
【００１８】
図１乃至図３において、Ｈは紙折り機に連結される折丁受入部であって、紙折り機によって四つ折り、八つ折り等の所要の折丁が成された折丁群Ｐが１単位づつ、立てた状態並べられて順次送られてくるようになっている。  本発明はこのように順次送られてくる折丁されかつた縦方向並べられて折丁群を所定数量取り出すものである。
【００１９】
Ｊは折丁群移動用テーブルであって、その始端側に上記折丁受入部Ｈが設けられており、その折丁折丁ガイド用縦枠ｈ1と、当該ガイド用縦枠ｈ1を前進させて受け入れた折丁単体ｐ（図３参照）を前方に押し出すための押出し機構ｈ2が設けられている。  なお、当該押出し機構ｈ2はピストン的運動に基づき、折り機で折畳まれた折丁ｐが１単位づつ上方から供給される度に、後述する始端側移動用補助ベルト６，６上に押出すような作動を呈するものである。
【００２０】
Ｇは上記折丁ガイド用縦枠h1のやや前方に設けた折丁上端揃え用ガイドであって、折丁上端抑え用スプリングｇ1が高さ調節可能に取付けられている。  ｇ2は当該高さ調節を行うための縦スリットであって、当該折丁上端抑え用スプリングｇ1が昇降自在に取付けられている。  そして、当該折丁上端揃え用ガイドＧの高さ位置は、送られてくる折丁単体ｐの上端位置と等しくなるよう調節し、これにより、次々と送られてくる折丁群Ｐの上端縁が揃えられるように構成してある。  すなわち、送られてくる折丁は、折丁上端揃え用ガイドＧによって受入れられ、折丁上端抑え用スプリングｇ1の弾力的接触に基づき、その上端縁が揃えられるように構成してある。
【００２１】
Ｋは当該移動用テーブルＪの側縁から前方に向けて形成した結束用テーブルであって、当該結束用テーブルＫ上において、結束機構Ｌを介して所定の結束操作が自動的に行われるものである。  なお、当該結束機構Ｌ自体は公知機構に関するため、その構成説明は省略する。
【００２２】
Ｍは電動押し杆機構であって、その先端に取替え自在に取付けた所定の定量横幅を具えた押し枠ｍの前進に基づき、移動用テーブルＪ上に順次送られてくる折丁群Ｐを所定数量毎、前記結束用テーブルＫ上に押し出すような作動を行うためのものである。  ｍ1は当該押し枠ｍの押出しのための前進及び復元運動の案内を行うための案内用レール杆であって、上記押し枠ｍはモータｍ2の回転力に基づき、当該前進及び復元運動が行われるように構成してある。
【００２３】
ｍ3は上記した押し枠ｍの後端後方に直角に取付けた折丁支え片であって、その先端部分は刃状部ｍ4が形成されており（図７参照）、上記押し枠ｍの前後進運動と一緒にその前後進運動が行われるように構成してある。  すなわち、図７に示すように、当該押し枠ｍが前進して折丁群Ｐを所要量前方に押出すに際して、当該折丁支え片ｍ3が後続の折丁群の中に差し込まれ、これの倒伏を防ぐように構成されている。
【００２４】
図１乃至図３において、１は移動用テーブルＪの中心部分に縦軸方向（始端側から終端側）に開設した案内用スリット、２は折丁群の先端を受け止めるための折丁群受板具であって、当該受板具２の下面側に垂設した移動操作用杆2ａは、前記案内用スリット１に対して摺動自在に差し込まれると共に、移動用テーブルＪの基端側下面に垂設した止め杆３に対して復元用スプリング４を介して連結させてある。  従って、当該折丁群受板具２は、順次送られてくる折丁群によって、移動用テーブルＪの始端側から終端側に移動するにつれてスプリング４に反発力が蓄えられ、終端に達して後述するような電動押し杆機構Ｍによる結束のための折丁群押出し作用が奏された後に、当該スプリング４の反発力に基づき元位置復帰が成されるように構成してある。  なお、図１及び図２においては、当該折丁群受板具２が終端寄りに移動されている状態を表している。                  
【００２５】
５，５は上記した案内用スリット１の両側にこれと並行するように形成したガイドレールであって、紙折り機によって折丁されかつた縦方向並べられて送られてくる折丁群が、当該ガイドレール５，５上において、これに沿って移動するように構成してある。
【００２６】
ところで、前記した折丁群受板具２であるが、これは、折丁ｐの次々の供給に基づく折丁群Ｐの先頭を受け止め、当該供給に依る押圧力に基づき、スプリング４に抗して押し動かされるように構成されている。  そして、当該押圧力に基づき折丁群受板具２が移動用テーブルＪの終端側に位置した際、電動押し杆機構Ｍが作動し、その押し枠ｍを介して所定量の折丁群が結束用テーブルＫに押し出され、その結束が行われるように構成してある。  なお、当該押し枠ｍは、折丁群の結束数量に即応させて、その横幅が異なるものを選択的に取替え固定するように構成してある。
【００２７】
６，６は移動用テーブルＮに設けた始端側移動用補助ベルトであって、プーリー6ａ，6ａによって所定の回転制御が行われるように構成してある。  ７，７は当該始端側移動用補助ベルト６，６と連なるように同一線上に設けた移動用制御ベルトであって、プーリー7ａ，7ａを介して所定の回転制御が行われるように構成してある。  また、当該移動用制御ベルト７，７の終点は、移動用テーブルＪの終点寄りに達するように設けられている。  そして、当該移動用制御ベルト７，７におけるプーリー7ａ，7ａは、その駆動側のプーリーの回転は後述するような所定の急速回転が行われるような変速が可能とするようなモーターに依る自動的回転制御が行われるように構成してある。
【００２８】
図８は上記した始端側移動用補助ベルト６，６と移動用制御ベルト７，７の駆動機構の一例を表したものである。  すなわち、当該両ベルトの駆動用プーリーに対する駆動力は定速回動用モータ８の回転力が同時に伝えられるように構成すると共に、当該移動用制御ベルト７，７の対応側プーリーに対してはワンウエイクラック９を介して当該定速回動用モータ８の回転力が伝えられるように構成し、更に、当該移動用制御ベルト７，７の他側のプーリーに対しては、急速回転用モータ１０の駆動力が伝えられるように構成する。
【００２９】
これにより、始端側移動用補助ベルト６，６と移動用制御ベルト７，７は、定速モータ８の回転に基づき所定の速さで回動させられるが、急速回転用モータ１０が回転した際は、移動用制御ベルト７，７の急速回動が図られ、一方、始端側移動用補助ベルト６，６は定速回転を保つというような作動が成されるように構成してある。  このような作動はワンウエイクラック９の存在に基づくものであり、急速回転用モータ１０の回転に基づき、その該当駆動用プーリー7ａの回転が、定速モータ８による回転力を追い越す急速回転用モータ１０の回転力が伝えられて、その急速回動が行われることとなる。  なお、このような駆動機構は図８に示す実施例に限定されるものではない。
【００３０】
上記した始端側移動用補助ベルト６，６と移動用制御ベルト７，７とは、折丁受入部Ｈから紙折り機によって順次送られてくる折丁群Ｐを、移動用テーブルＪの終端側に対する移動力を付与する方向に回動するように構成してある。  そして、当該始端側移動用補助ベルト６，６と移動用制御ベルト７，７とは、その回転速度の調節を夫々別制御に基づき達成されるように構成してある。  すなわち通常は、始端側移動用補助ベルト６，６と移動用制御ベルト７，７は同一速度で回動しているが、前述したように折丁群受板具２が移動用テーブルＪの終端側に位置するやや手前に達した時点で、移動用制御ベルト７，７は急速回動を自動的に行い、次々と連続状に送られてくる折丁群Ｐの後部に粗列部Ｐ1を形成し（図７参照）、これにより、電動押し杆機構Ｍの押し枠ｍによる押し出し時に、図９に示すような当該折丁群Ｐの後方部分に崩れが生じるような事態発生を、未然に防止するように構成してある。
【００３１】
なお、このような移動用制御ベルト７，７の急速回動時においても、始端側移動用補助ベルト６，６は定速回動を保つように構成されていることは、前述したとおりである。
【００３２】
すなわち、始端側移動用補助ベルト６，６と移動用制御ベルト７，７の回動速度は、通常は、折丁受入部Ｈから紙折り機によって順次送られてくる折丁群Ｐの供給力に基づき押し出される速度と合致させることにより、これの送り速度の安定化を図っているものであるが、上述したような結束のための定量押し出しに際しては、当該押し出しによる折丁群の後方部崩れ発生を防止するために、移動用制御ベルト７，７だけが一時的に急速回動（急速前進）を行わせるように構成してある。
【００３３】
そして、当該移動用制御ベルト７，７の急速回動であるが、これは瞬間的な回動的変化であり、電動押し杆機構Ｍの押し枠ｍによる押し出し時作動及びその復帰作動が行われた後は、最初の設定速度の回動に戻されるように、自動的制御が施されるように構成してある。
【００３４】
なお、上述したような粗列部Ｐ1形成に基づく引き続きの折丁群Ｐの送り速度であるが、その間も、始端側移動用補助ベルト６，６が定速回動を継続的に行っているため、粗列部Ｐ1形成に基づく遅れは、当該始端側移動用補助ベルト６，６の移動力に基づき解消され、折丁群Ｐ全体の同一圧接接触性が保たれることとなる。
【００３５】
すなわち、当該始端側移動用補助ベルト６，６が存在しない場合は、粗列部Ｐ1発生に基づくその後の折丁群Ｐの圧接接触性の不均一化に基づく形成列の崩れ発生と言うような問題が間々生じたが、当該始端側移動用補助ベルト６，６を設けることにより、このよう事態発生が皆無とされるわけである。
【００３６】
なお、前述した押し枠ｍの後端側には折丁支え片ｍ3が設けられており、上述したような電動押し杆機構Ｍの押し枠ｍによる押し出し時作動時においては、当該折丁支え片ｍ3も当該押し枠ｍと共に前方に前進するため、図７に示すように、当該押し枠ｍが前進して折丁群Ｐを所要量前方に押出すに際して、当該折丁支え片ｍ3も前進して後続の折丁群の中に差し込まれ、これの倒伏を防ぐような作動を呈することとなる。
ｍ4は当該折丁支え片ｍ3の先端に形成した差込用刃状先端縁を示す。
【００３７】
本発明に係る紙折り機に連結した折丁結束装置の一連の作動を説明すれば下記の通りである。
【００３８】
不図示の紙折り機によって四つ折り、八つ折り等の所要の折丁が成された折丁ｐは、  折丁受入部Ｈの折丁ガイド用縦枠ｈ1に沿って１単位づつ縦方向で降下されると共に、押し出すための押出し機構ｈ2を介して前方に押出されることとなる。（図１及び図３参照）
【００３９】
当該押出される際、折丁の上縁は、折丁上端揃え用ガイドＧにより受入れられると共に、上端抑え用スプリングｇ1に弾力的に接触することとなり、これにより、次々と押出される折丁はその各上縁が合致した整然たる並列状態に整えられることとなる。（図２及び図３参照）
【００４０】
上記押出された折丁は、始端側移動用補助ベルト６，６に乗せられると共に、その先頭の折丁は折丁群受板具２によって受け止められ立てた状態を保ちながら、当該始端側移動用補助ベルト６，６による移動が行われる。  なお、この時、紙折り機によって次々と送られてくる折丁は、上記のようにして夫々順序良く並べられて、折丁群受板具２をスプリング４に抗して押し下げられることとなり、これにより整然と並べられた折丁群Ｐが形成される。（図４参照）  
【００４１】
始端側移動用補助ベルト６，６によって移動させられた折丁群Ｐは、当該始端側移動用補助ベルト６，６に対して同一線状に隣接する移動用制御ベルト７，７側に移動させられるが、当該移動用制御ベルト７，７は同一速度で回動しているため、折丁の両ベルト間の乗り移り作動に齟齬をきたすことがない。  なお、当該両ベルトの回動速度であるが、これは紙折り機による折丁の送り速度と等しく設定することを原則とする。
【００４２】
上述のような折丁群Ｐの形成に基づく押圧力により受板具２が所定の位置（移動用テーブルＪの始端側から終端側の位置）に押し動かされた際、電動押し杆機構Ｍが作動し、その押し枠ｍを介して所定量の折丁群が結束用テーブルＫに押し出され、その結束が行われるわけであるが、この寸前状態に於いて、移動用制御ベルト７，７の急速回動が行われることとなる。  すなわち、折丁群受板具２が移動用テーブルＪの終端側に位置するやや手前に達した時点で、移動用制御ベルト７，７は急速回動を自動的に行い、次々と連続状に送られてくる折丁群Ｐの後部に粗列部Ｐ1を形成し（図６参照）、これにより、電動押し杆機構Ｍの押し枠ｍによる押し出し時に、図１０の作動図に示すように、当該折丁群Ｐの後方部分に崩れが生じるような事態発生が、図７に示すように未然に防止されることとなる。
【００４３】
なお、このような移動用制御ベルト７，７の急速回動時においても、始端側移動用補助ベルト６，６は定速回動を保つものである。
【００４４】
電動押し杆機構Ｍの押し枠ｍの突出と共に、折丁支え片ｍ3も前方に前進し、これにより図７に示すように、当該折丁支え片ｍ3が後続の折丁群の中に差し込まれ、その倒伏を防ぐような作動を呈する。
【００４５】
結束のための所要の折丁群の押出しが行われた後は、電動押し杆機構Ｍは復帰運動を作動を行い、押し枠ｍ及び折丁支え片ｍ3を元位置に復帰させる。  同時に、受板具２もスプリング４を介して自動的に復帰し、上記した結束のために除去されたのちの自余の折丁群の先頭に位置し、その安定保持に従事する。  なお、移動用制御ベルト７，７の前記急速回動であるが、これは瞬間的な回動的変化であり、電動押し杆機構Ｍの押し枠ｍによる押し出し時作動及びその復帰作動が行われた後は、最初の設定速度の回動に戻されるように自動的に制御される。  また、当該急速回動の開始指令は、適宜リレー機構に基づく受板具２の移動位置の読み取りに基づき行われるように構成してある。
【００４６】
一方、上述したような粗列部Ｐ1形成に基づく引き続きの折丁群Ｐの送り速度であるが、その間も、始端側移動用補助ベルト６，６が定速回動を継続的に行っているため、粗列部Ｐ1形成に基づく遅れは、当該始端側移動用補助ベルト６，６の移動力に基づき解消され、折丁群Ｐ全体の同一圧接接触性が保たれる。
【００４７】
上述したような各作動が繰り返し行われることにより、紙折り機から次々と送られてくる折丁は、所定量ごとの結束のための取出しが自動的かつ整然と行われることとなる。
【図面の簡単な説明】
【００４８】
【図１】本発明全体を表しかつ折丁上縁部揃え用ガイド部分を省略して示す説明用斜視図である。
【図２】本発明全体を表した説明用縦断面図である。
【図３】折丁上縁部揃え用ガイド部分を表した平面図である。
【図４】本発明の第１作動を表した説明用断面図である。
【図５】本発明の第２作動を表した説明用断面図である。
【図６】本発明の第３作動を表した説明用断面図である。
【図７】本発明による正常なる折丁押し出し作動を表した説明用側面図である。
【図８】本発明における始端側移動用補助ベルト６，６と移動用制御ベルト７，７に対する駆動機構の一例を表した説明用断面図である。
【図９】従来例を表した説明用側面図である。
【図１０】不適切な作動を表した説明用断面図である。
【符号の説明】
【００４９】
Ｐ  折丁群
ｐ  折丁
P1  粗列部
Ｊ  折丁群移動用テーブル
Ｈ  折丁受入部
h1  折丁ガイド用縦枠
h2  押出し機構
Ｇ  折丁上端揃え用ガイド
g1  折丁上端抑え用スプリング
g2  縦スリット 
Ｋ  結束用テーブル
Ｌ  結束機構
Ｍ  電動押し杆機構
ｍ  押し枠
m1  案内用レール杆
m2  モータ
ｍ3   折丁支え片
m4  刃状部
１  案内用スリット
２  折丁群受板具
2a  移動操作用杆
３  止め杆
４  復元用スプリング
５  ガイドレール
６  始端側移動用補助ベルト
6a  プーリー
７  移動用制御ベルト
7a  プーリー
８  定速回動用モータ
９  ワンウエイクラック
10  急速回転用モータ
【図１】
2008162602.tif 000003
【図２】
2008162602.tif 000004
【図３】
2008162602.tif 000005
【図４】
2008162602.tif 000006
【図５】
2008162602.tif 000007
【図６】
2008162602.tif 000008
【図７】
2008162602.tif 000009
【図８】
2008162602.tif 000010
【図９】
2008162602.tif 000011
【図１０】
2008162602.tif 000012